【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
２つ以上のストリップ（１、２、３、４、５、６）グループを有するカバー、特にベッド用のカバーであって、
各グループは２本以上のストリップを含み、
少なくとも２つのストリップグループ（１、３、５と２、４、６）は互いに対して異なる方向に配置され、
前記少なくとも２つのストリップグループ（１、３、５と２、４、６）は少なくとも部分的に重なり合って配置され、
前記２つ以上のストリップグループ（１、３、５と２、４、６）は互いに対して部分的に固定される、カバー。
【請求項２】
少なくとも１つのストリップグループが、ティッキング素材で作られ、かつフェザーおよび／またはダウン、天然繊維、合成繊維、および発泡粒子から選択される詰め物が入れられたケーシングから製造される、請求項１に記載のカバー。
【請求項３】
前記２つ以上のストリップグループ（１、３、５と２、４、６）は織り合わされる、請求項１または２に記載のカバー。
【請求項４】
前記ストリップの１本以上、および／または、前記ストリップグループの１つ以上は、空のストリップ、および好適には織りウール素材で構成される、請求項１から３の一項以上に記載のカバー。
【請求項５】
平織に編まれた２つのストリップグループ（３、５と４、６）が提供される、請求項１から４の一項以上に記載のカバー。
【請求項６】
前記カバーは、従来のカバー素材（７）で作られた周囲縁が設けられる、請求項１から５の一項以上に記載のカバー。
【請求項７】
前記カバーは、従来のカバー素材（１２）によって互いから離される２つ以上の領域（８、９、１０、１１）の存在によって形成され、前記領域は、請求項１に記載されるように、各々、２本以上のストリップからなる２つ以上のグループから形成される、請求項１から５の一項以上に記載のカバー。
【請求項８】
前記ストリップグループは、ステッチング、キルティング、マジックテープ（登録商標）、ボタン、ダブルマッシュルームヘッドボタン、またはスナップによって互いに対して固定される、先行する請求項１から７の一項以上に記載のカバー。
【請求項９】
前記２つ以上のストリップグループは、素材および／または幅に関して互いから異なる、先行する請求項１から８の一項以上に記載のカバー。
【請求項１０】
先行する請求項１から９のいずれかに記載のカバーから少なくとも部分的に作られた寝袋。
【請求項１１】
先行する請求項１から９の一項以上に記載のカバーから少なくとも部分的に作られた衣料品。
【請求項１２】
クッションの形態である、先行する請求項１から９の一項以上に記載のカバー。
【請求項１３】
前記個々のストリップの１本以上は、メッシュワークが張られた１つ以上の通気開口が設けられ、前記各ストリップの前記空気環境ゾーンは好適には前記ストリップが互いを交差すると好適に重なり合って置かれる、先行する請求項１から９の一項以上に記載のカバー。
【請求項１４】
前記ストリップまたはストリップグループの１つ以上は、メッシュワークで作られる、先行する請求項１から９の一項以上に記載のカバー。
【請求項１５】
２つ以上の空のストリップが提供され、同じストリップグループの前記詰め物入りおよび空のストリップは、セクションで、交互に、またはブロックで配置される、先行する請求項４に記載のカバー。
【請求項１６】
（ａ）平行に配置され、３つ以上の固定によって隣接ストリップに各々取り付けられる３本以上のストリップからなるグループと、
（ｂ）互いとのおよび周囲バンドとの交差点において各々固定される２つの交差二重バンドグループ（１５、１６）と、
（ｃ）長手および横方向（１９、２０）に定期間隔にあるスロットが設けられたテキスタイル布（１８）と、
で構成されるサポートフレームを含む、請求項１に記載のカバー。
【請求項１７】
（ｉ）ティッキング素材で作られ、かつフェザーおよび／またはダウン、天然繊維、合成繊維、および発泡粒子から選択される詰め物が入れられたケーシングから製造されるストリップと、
（ｉｉ）空のストリップ、好適には織りウール素材と、
から選択されるストリップであって、さらなるストリップまたは
（ａ）平行に配置され、３つ以上の固定によって隣接ストリップに各々取り付けられる３本以上のストリップからなるグループと、
（ｂ）互いとのおよび周囲バンドとの交差点において各々固定される２つの交差二重バンドグループ（１５、１６）と、
（ｃ）長手および横方向（１９、２０）に定期間隔にあるスロットが設けられたテキスタイル布（１８）と、
で構成されるサポートフレームを取り付けるための１つ以上のデバイスが設けられるストリップを含む、請求項１に記載のカバー。
【請求項１８】
請求項１から９の一項以上に記載のカバーを製造する方法であって、
ａ１． ティッキング素材で作られる、所望の数のストリップケーシングを提供するステップと、
ａ２． 前記所望の詰め物で前記ストリップケーシングを詰めるステップと、
ａ３． 前記所望の空間配置に前記ストリップを互いに対して位置決めするステップと、
ａ４． 互いに関連して前記ストリップグループを固定するステップと、
または、
ｂ１． ティッキング素材で作られる、所望の数のストリップケーシングを提供するステップと、
ｂ２． 前記所望の空間配置に前記ストリップケーシングを互いに対して位置決めするステップと、
ｂ３． 前記所望の詰め物材で前記ストリップケーシングを詰めるステップと、
ｂ４． 互いに関連して前記ストリップを固定するステップと、
または、
ｂ１． ティッキング素材で作られる、所望の数のストリップケーシングを提供するステップと、
ｂ２． 前記所望の空間配置に前記ストリップケーシングを互いに対して位置決めするステップと、
ｂ３’． 互いに関連して前記ストリップを固定するステップと、
ｂ４’． 前記所望の詰め物材で前記ストリップケーシングを詰めるステップと、
を含む、方法。
【請求項１９】
ステップｂ１、ｂ２、ｂ３’、ｂ４’、をこの順番で含む、請求項１８に記載の方法。
【請求項２０】
請求項１から９の一項以上に記載のカバーを製造する方法であって、キルトカバーに対応する構造および素材のストリップが用いられ、
ｃ１． 所望の数の詰め物入りストリップを提供するステップと、
ｃ２． 前記所望の空間配置に前記ストリップを互いに対して位置決めするステップと、
ｃ３． 互いに関連して前記ストリップグループを固定するステップと、
を含む、方法。
【請求項２１】
（Ａ）
（ａ）平行に配置され、３つ以上の固定によって隣接ストリップに各々取り付けられる３本以上のストリップからなるグループと、
（ｂ）互いとのおよび周囲バンドとの交差点において各々固定される２つの交差二重バンドグループ（１５、１６）と、
（ｃ）長手および横方向（１９、２０）に定期間隔にあるスロットが設けられたテキスタイル布（１８）と、
で構成されるサポートフレームの使用、
および／または
（Ｂ）
（ｉ）ティッキング素材で作られ、かつフェザーおよび／またはダウン、天然繊維、合成繊維、および発泡粒子から選択される詰め物が入れられたケーシングから製造されるストリップと、
（ｉｉ）空のストリップ、好適には織りウール素材と、
から選択されるストリップであって、さらなるストリップまたは形態（Ａ）に記載のサポートフレームを取り付けるための１つ以上のデバイスが設けられるストリップの使用
を含む、請求項１８または２０に記載の方法。